(57)【要約】【課題】意匠性を損なうことなく、断熱材漏れの発生することのない、断熱性能と意匠性に優れた断熱扉を有する冷蔵庫を提供する。課題とする。【解決手段】外板と内板との間に形成された空間内に断熱材を発泡充填した断熱扉を備えた冷蔵庫において、前記断熱材の最終充填部にある前記内板に、前記断熱材の発泡時に発生するガスを外部に放出するガス抜き穴を有し、前記ガス抜き穴に接続する中空部を形成した。【選択図】図４
2019023536.tif 000002
【特許請求の範囲】
【請求項１】
外板と内板との間に形成された空間内に断熱材を発泡充填した断熱扉を備えた冷蔵庫において、
前記断熱材の最終充填部にある前記内板に、前記断熱材の発泡時に発生するガスを外部に放出するガス抜き穴を有し、
前記ガス抜き穴に接続する中空部が形成されていることを特徴とする冷蔵庫。
【請求項２】
外板と内板との間に形成された空間内に断熱材を発泡充填した断熱扉を備えた冷蔵庫において、
前記内板の土手の先端部に、前記断熱材の発泡時に発生するガスを外部に放出するガス抜き穴を有し、
前記ガス抜き穴から前記断熱材の流動方向に延びる仕切り部が形成されていることを特徴とする冷蔵庫。
【請求項３】
請求項１または２において、
前記内板は樹脂製であって、インジェクションにより成型されたものであることを特徴とする冷蔵庫。
【請求項４】
請求項２において、
前記外板と前記内板との間に形成された空間内には、真空断熱材が配置されており、
前記仕切り部は、前記土手の底部を超えない長さであることを特徴とする冷蔵庫。
【発明の詳細な説明】
【技術分野】
【０００１】
本発明は冷蔵庫に関する。
【背景技術】
【０００２】
従来の冷蔵庫における断熱扉としては、たとえば、下記特許文献１に示されたものがある。その構造を図９、図１０を参照して説明する。図９は従来の冷蔵庫の回転式開閉扉の構造を示す横断面図である。図１０は図９のＡ部分の拡大断面図である。一般に、冷蔵庫には、図９に示すような回動式の開閉扉である断熱扉１００が使用されている。
【０００３】
図９に示される断熱扉１００は、外板１１０と、外板１１０に接着された真空断熱材１５０と、真空成形により加工されたライナー１３０と、外板１１０とライナー１３０の間に設けられた枠材１２０と、外板１１０、扉ライナー１３０および枠材１２０によって形成された空間内に発泡充填された発泡断熱材１４０と、を備えている。          
図１０に示すように、ライナー１３０の土手１８０には、発泡断熱材１４０の発泡充填の際の最終充填部にガスを抜くガス抜き穴１９２が設けられている。これにより、扉体の空間内にガス溜まりが生じにくくなり、断熱材の未充填や密度不均一を抑制し、断熱性能低下を防ぐ事が可能である。
【先行技術文献】
【特許文献】
【０００４】
【特許文献１】特開平８-１４７３３号公報
【発明の概要】
【発明が解決しようとする課題】
【０００５】
しかしながら、ガス抜き構造の形成が加工上容易でないことから、ガス抜き穴から発泡断熱材が発泡圧の影響で外部に漏れ出てしまう可能性があった。
【０００６】
そこで、本発明は、上記の課題を解決する為に成されたもので、その目的は、意匠性を損なうことなく、発泡断熱材漏れの発生することのない、意匠性と断熱性能に優れた断熱扉を有する冷蔵庫を提供することにある。
【課題を解決するための手段】
【０００７】
上記目的を達成するために、本発明は、外板と内板との間に形成された空間内に断熱材を発泡充填した断熱扉を備えた冷蔵庫において、前記断熱材の最終充填部にある前記内板に、前記断熱材の発泡時に発生するガスを外部に放出するガス抜き穴を有し、前記ガス抜き穴に接続する中空部を形成した。
【発明の効果】
【０００８】
本発明によれば、意匠性を損なうことなく、発泡断熱材漏れの発生することのない、意匠性と断熱性能に優れた断熱扉を有する冷蔵庫を提供できる。
【図面の簡単な説明】
【０００９】
【図１】本発明の実施形態に係る冷蔵庫の一例を示す正面図である。
【図２】冷蔵庫の回動式の断熱扉を示す正面図である。
【図３】回動式の断熱扉を示す分解斜視図である。
【図４】図２のＩ−Ｉ拡大断面図である。
【図５】図４の土手先端部分拡大断面図である。
【図６】図５の変形例を示す土手先端部分拡大断面図である。
【図７】図６の斜視図である。
【図８】図５の他の変形例を示す土手先端部分拡大断面図である。
【図９】従来の冷蔵庫の回動式開閉扉の構造を示す横断面図である。
【図１０】図９の土手先端部分拡大断面図である。
【発明を実施するための形態】
【００１０】
まず、図１〜図８を参照しながら本発明の実施形態に係る冷蔵庫の一例を説明する。
【００１１】
以下、本発明の実施形態として、６ドアタイプの冷蔵庫１を例に挙げて説明するが、ドアの数は限定されず、５ドア以下のタイプや、１ドアタイプに適用してもよい。また、以下では、冷蔵庫１を正面から見たときの方向を基準として説明する。また、以下に示す図面において、同一の部材には適宜同一の参照符号を付し、重複した説明を適宜省略する。また、部材のサイズ及び形状は、説明の便宜のため、変形または誇張して模式的に表す場合がある。
【００１２】
≪冷蔵庫≫
図１に示すように、冷蔵庫１は、冷蔵室２、製氷室３、切替室（上段冷凍室、急速冷凍室）４、下段冷凍室５（引出室、第１貯蔵室／以下、「冷凍室５」とする）、及び、野菜室６（引出室、第２貯蔵室）を備えている。
【００１３】
冷蔵庫１は、冷蔵室２を開閉する回動式（ヒンジ式）の断熱扉２ａ，２ｂと、製氷室３を開閉する引出式の断熱扉３ａと、切替室４を開閉する引出式の断熱扉４ａと、冷凍室５を開閉する引出式の断熱扉５ａと、野菜室６を開閉する引出式の断熱扉６ａと、をそれぞれ備えている。
【００１４】
≪断熱扉≫
回動式の断熱扉２ａ，２ｂは、同様の構成である。このため、図２に示す断熱扉２ａを代表して回動式扉を説明する。また、図５〜図７に示す引出式の断熱扉３ａ，４ａ，５ａ，６ａは、同様な構成であるので、代表して断熱扉５ａを後記する。
【００１５】
≪回動式の断熱扉≫
まず、図３及び図４を参照して回動式の断熱扉２ａを説明する。
【００１６】
図３に示すように、断熱扉２ａは、断熱扉２ａの表面に設けられたガラス製の外板１０と、外板１０の周縁に設けられた扉枠２０と、外板１０の裏面に配置された真空断熱材３０と、外板１０と扉枠２０とで形成された空間４０に真空断熱材３０を介在させて充填された発泡断熱材５０（図４参照）と、扉枠２０の裏面に設けられた内板（ライナー）６０と、外板１０を扉枠２０に固定するための両面テープ７０と、を備えて構成されている。
【００１７】
＜外板＞
断熱扉２ａの表面を構成する外板１０は、断熱扉２ａの表面（前面）側の外壁を形成する透光性の矩形の平板部材から成る。外板１０の外周部は、縦長の四角枠状の扉枠２０の内側前端部に装着されて、扉枠２０によって覆われている。外板１０は、右側の枠部材２１の係合溝２１ａ（図４参照）と、左上下側の枠部材２２，２３，２４のテープ貼付部２２ａ，２３ａ，２４ａに貼着された両面テープ７０と、によって扉枠２０に固定されている。なお、外板１０は、強化ガラス製の平板材が好ましいが、プラスチック等の透光性の扉板や金属製の扉板であってもよい。
【００１８】
＜扉枠＞
図３に示すように、扉枠２０は、矩形の断熱扉２ａの外周部位を形成する樹脂製の枠体である。扉枠２０は、外板１０の右辺部が挿入されて支持される係合溝２１ａを有する右側の枠部材２１と、外板１０の左辺部、上辺部、下辺部が貼り付けられる両面テープ７０が貼着されたテープ貼付部２２ａ，２３ａ，２４ａを有する上下左側の枠部材２２，２３，２４と、を四角形に連結して形成されている。
【００１９】
係合溝２１ａは、外板１０の右辺部が挿入される凹状溝から成る（図４参照）。
【００２０】
テープ貼付部２２ａ，２３ａ，２４ａは、上下左側の枠部材２２，２３，２４の内縁部に、断面視して、外板１０の厚さと両面テープ７０の厚さを加算した高さだけ、扉枠２０の表面から段差状に窪んで形成された平面視して帯状に延設された平らな部位である（図４参照）。
【００２１】
両面テープ７０は、表面及び裏面の両面が貼着可能な細長い帯状の粘着テープである。
【００２２】
＜真空断熱材＞
真空断熱材３０は、その材質は特に限定されないが、一例を挙げると、多孔質構造のグラスウール等の芯材をラミネートフィルムで真空パックして内部を減圧して封止した断熱材から成り、気体熱伝導率が略ゼロであるため、優れた断熱性能を有している。
【００２３】
＜空間＞
前記空間４０は、断熱扉２ａを製造する際に、高温状態の発泡断熱材５０の材料が流し込まれる部位であり、真空断熱材３０を載置した外板１０と、扉枠２０と、で形成されている。このため、完成された断熱扉２ａ内には、発泡断熱材５０が充填されているので、その空間４０が無い。
【００２４】
＜発泡断熱材＞
図４に示す発泡断熱材５０は、断熱材としての機能と、接着剤としての機能と、を備えている。発泡断熱材５０は、中央部に真空断熱材３０を載置した外板１０と、外板１０の外周に取り付けられた扉枠２０とで形成された空間４０に、真空断熱材３０を介在させて充填されることによって、空間４０の内壁面に接着される。このため、発泡断熱材５０は、真空断熱材３０を覆った状態で外板１０の裏面に接着されている。
【００２５】
＜内板＞
断熱扉２ａの裏面の内板を構成するライナー６０は、断熱扉２ａの貯蔵室側に設けられた樹脂製の板部材である。ライナー６０は、扉枠２０の裏面側の周縁部に固定されている。ライナー６０の裏面側の外周部には、断熱扉２ａを冷蔵庫本体と密着させて貯蔵室の気密性を確保するためのシール部材（図示省略）が設けられている。
【００２６】
＜組立＞
次に、図３及び図４を主に参照しながら本発明の実施形態に係る冷蔵庫１の回動式の断
熱扉２ａの作用を組立順に沿って説明する。
【００２７】
回動式の断熱扉２ａを組み立てる場合は、まず、図３に示すように、枠部材２２のテープ貼付部２２ａと、枠部材２３のテープ貼付部２３ａと、枠部材２４のテープ貼付部２４ａとにそれぞれ両面テープ７０（図４参照）を貼り付ける。次に、外板１０の右端部を枠部材２１の係合溝２１ａ（図４参照）に挿入し、外板１０の上下左端部を枠部材２２、枠部材２３及び枠部材２４の両面テープ７０に、外板１０の外周部をそれぞれ貼り付ける。
【００２８】
続いて、図４に示すように、外板１０を下側に配置して、その外板１０の裏面中央部に真空断熱材３０を載置して、空間４０内に発泡断熱材５０の材料を充填する。次に、扉枠２０の裏面側周縁部にライナー６０を設けて、空間４０を閉塞する。このようにして断熱扉２ａは、組み立てられる。
【００２９】
≪管状流路付きのライナー効果≫
図５は、図４の土手８０先端部の拡大断面図である。図５に示されるように土手先端部は、内側開口９１と、管状流路９０と、ガス抜き穴９２と、により構成されている。ここで、管状流路９０は、土手８０の先端部を形成する平面から内側へ垂直に延びるように成型されており、内側開口９１とガス抜き穴９２は一定の径で繋がっている。なお、ライナー６０をインジェクションにより成型すれば、図５の様な複雑な形状であっても形成可能である。
【００３０】
また、ガス抜き穴９２は、発泡断熱材５０の発泡時に発生するガスを外部に放出するためのものであり、発泡断熱材５０の最終充填部にある土手８０先端部の平面に形成される。
【００３１】
ここで、外板１０とライナー６０との間に形成される空間内に、発泡断熱材５０を発泡充填させる過程について説明する。発泡充填の作業は、図４に示すように、外板１０が下向きになる姿勢にして行われる。この姿勢になった状態で、真空断熱材３０の上から液性の発泡断熱材５０を中央付近に流し込むことで発泡が開始される。発泡を開始した発泡断熱材５０は、水平方向に広がりつつ上昇する。すなわち、断熱材の最終充填部は真空断熱材３０中央付近から最も距離の離れている土手８０先端部となる。
【００３２】
土手８０先端部に達した発泡断熱材５０は、内側開口９１を通過し、管状流路９０に流動する。このとき、管状流路９０の内径が微細な為に発泡断熱材５０の進行方向とは逆向きの流動抵抗が発生し、ガス抜き穴９２からの発泡断熱材５０の漏れを抑止できる。
【００３３】
また、本実施形態のライナー６０における管状流路９０は、発泡断熱材５０の発泡圧進行方向と平行な位置関係となるように設けられる為、発泡圧による曲がり、変形、折れを抑制できる。
【００３４】
さらに、ガス抜き穴９２に接続される管状流路９０は、土手８０の底部を超えない長さであって、土手８０内に収容されている為、外板１０に接着される真空断熱材３０との干渉、接触を回避することが可能となる。
【００３５】
≪変形例≫
なお、本発明は、前記実施形態に限定されるものではなく、その技術的思想の範囲内で種々の改造及び変更が可能であり、本発明はこれら改造及び変更された発明にも及ぶことは勿論である。前記実施形態で説明した図５に示すライナー土手８０先端部分は、その一例として管状流路９０を設け流動抵抗によりガス抜き穴９２からの発泡断熱材５０の漏れを防ぐ手段を説明したが、これに限定されるものではない。例えば、土手８０先端部において、発泡断熱材５０の流動方向に延びる仕切り部等により、ガス抜き穴９２に接続する中空部が形成されていれば、発泡断熱材５０の漏れ防止や、発泡圧によるライナー６０の変形等の抑制が可能である。
【００３６】
図６は、ライナー土手８０先端部分の変形例を示す横断面図である。ここで、前記実施形態で説明したものと同一なものは、同一符号を付してその説明は省略する。
【００３７】
図６および図７に示すように、土手８０先端部に、土手８０内の空間と仕切る格子状のリブ９３を形成してもよい。リブ９３は、リブ開口９４と、内側開口９１と、ガス抜き穴９２と、から構成されている。このように形成すれば、管状流路９０を設けた場合と同様に流動抵抗により発泡断熱材５０を内部で食い止めることが可能である。また、強度の観点で、管状流路９０のガス抜き穴９２と比べて強くなる為、土手８０先端部以外での発泡断熱材５０の漏れを抑止する際には非常に有用である。したがって、回動式の断熱扉のライナーだけでなく、引き出し式の断熱扉のライナーにも活用することが出来る。
【００３８】
図８は、ライナー土手先端部分の他の変形例を示す横断面図である。
【００３９】
図８に示すように、土手８０外部に成型されるポケット／バスケット組付部８１を、ライナー６０とは別部材とし、ポケット／バスケット組付部８１と土手８０との間で、ガス抜き流路（中空部）を形成しても良い。この場合は、土手８０先端部に内側開口９１が形成され、ガス抜き流路の終端部にガス抜き穴９２が形成される。このようにしても、管状流路９０を設けた場合と同様に流動抵抗により断熱材を内部で食い止めることが可能である。また、本変形例によれば、ガス抜き穴９２がポケット／バスケット組付部８１のある内側に成型される為、意匠面である土手８０先端部のガス抜き穴９２がなくなる。これにより、発泡断熱材５０の流出を回避しながら意匠性に優れた断熱扉を提供する事が可能となる。
【符号の説明】
【００４０】
１      冷蔵庫
２ａ，３ａ，４ａ，５ａ，６ａ  断熱扉
１０  外板
２０  扉枠
３０  真空断熱材
４０  空間
５０  発泡断熱材
６０  内板（ライナー）
７０  両面テープ
８０  土手
９０  管状流路
【図１】
2019023536.tif 000003
【図２】
2019023536.tif 000004
【図３】
2019023536.tif 000005
【図４】
2019023536.tif 000006
【図５】
2019023536.tif 000007
【図６】
2019023536.tif 000008
【図７】
2019023536.tif 000009
【図８】
2019023536.tif 000010
【図９】
2019023536.tif 000011
【図１０】
2019023536.tif 000012